(57)【要約】【課題】比較的広い部位、及び比較的小さな部位のいずれに対しても密着して刺激する。【解決手段】美容装置１は、筐体１０の表面に設けられ、押し当てられる方向に凸形状の曲面をそれぞれ有する複数の電極１６１を有する。使用者が矢印Ｄ２方向に所定の力で電極１６１を押し当てると、電極１６１のそれぞれの曲面は、Ｌ１の位置まで使用者の身体に埋没して接する。一方、使用者が矢印Ｄ２方向に、上述した力よりも強い力で電極１６１を押し当てると、電極１６１のそれぞれの曲面は、上述したＬ１を超えてＬ２の位置まで使用者の身体に埋没して接する。電極１６１の曲面が使用者の身体に接触する範囲の大きさは、使用者の身体に電極１６１を押し当てる力の強さに応じて変わる。【選択図】図５
2020110262.tif 000002
【特許請求の範囲】
【請求項１】
棒状の筐体と、
前記筐体に設けられたグリップと、
前記筐体の表面に設けられ、押し当てられる方向に凸形状の曲面をそれぞれ有する複数の電極と、
を有することを特徴とする美容装置。
【請求項２】
前記複数の電極は、３つ以上である
ことを特徴とする請求項１に記載の美容装置。
【請求項３】
前記複数の電極は、前記筐体の長手方向に並んで配置されている
ことを特徴とする請求項１又は２に記載の美容装置。
【請求項４】
前記筐体の表面に設けられ、押し当てられた人体の部位に超音波振動を付与する振動板、を有する
ことを特徴とする請求項１から３のいずれか１項に記載の美容装置。
【請求項５】
前記複数の電極のいずれかは、前記振動板を兼ねる
ことを特徴とする請求項４に記載の美容装置。
【請求項６】
前記複数の電極に給電し、該電極の前記曲面が押し当てられた人体の部位に電気信号を出力する出力部を有し、
前記出力部は、前記複数の電極のうち、使用者の操作に応じて選択された電極に給電する
ことを特徴とする請求項１から５のいずれか１項に記載の美容装置。
【請求項７】
前記複数の電極に給電し、該電極の前記曲面が押し当てられた人体の部位に電気信号を出力する出力部を有し、
前記出力部は、給電の対象となる電極を周期的に切り替える
ことを特徴とする請求項１から５のいずれか１項に記載の美容装置。
【発明の詳細な説明】
【技術分野】
【０００１】
本発明は、美容装置に関する。
【背景技術】
【０００２】
皮膚に電流を流すことで美容効果を得る美容装置が開発されている。特許文献１には、正面視楕円形の絶縁性のケースの前面に取り付け面を設け、その中央に平坦な皮膚接触面を有する筒状の振動体を取り付けて、振動体の両側に平坦な皮膚接触面を有する断面楕円形の筒状の皮膚電極を配置した超音波美容器が記載されている。
【０００３】
また、特許文献２には、グリップ部とヘッド部とを備える美容器が記載されている。この美容器のヘッド部には、皮膚と接触する接触面が備えられている。この接触面には、その中央を含む領域に、互いに間隔をあけて設けられた４つの電極が設けられ、さらにその領域の全ての外周を囲むように配置された超音波振動面が設けられている。
【先行技術文献】
【特許文献】
【０００４】
【特許文献１】特開２０００−１６７００９号公報
【特許文献２】登録実用新案第３１９２９７１号公報
【発明の概要】
【発明が解決しようとする課題】
【０００５】
しかし、特許文献１に記載の技術では、腹部、太腿、ふくらはぎ等の面積の比較的広い部位の皮膚に密着させることが可能であるが、顔や首等の面積の比較的小さな部位あるいは凹凸のある部位の皮膚に密着させることが難しい。
【０００６】
一方、特許文献２に記載の技術では、比較的小さな部位あるいは凹凸のある部位の皮膚に密着させることが可能であるが、面積の比較的広い部位の皮膚を一度に刺激することが難しい。
【０００７】
本発明の目的の一つは、比較的広い部位、及び比較的小さな部位のいずれに対しても密着して刺激する美容装置を提供することである。
【課題を解決するための手段】
【０００８】
本発明の請求項１に係る美容装置は、棒状の筐体と、前記筐体に設けられたグリップと、前記筐体の表面に設けられ、押し当てられる方向に凸形状の曲面をそれぞれ有する複数の電極と、を有することを特徴とする美容装置である。
【０００９】
本発明の請求項２に係る美容装置は、請求項１に記載の態様において、前記複数の電極は、３つ以上であることを特徴とする美容装置である。
【００１０】
本発明の請求項３に係る美容装置は、請求項１又は２に記載の態様において、前記複数の電極は、前記筐体の長手方向に並んで配置されていることを特徴とする美容装置である。
【００１１】
本発明の請求項４に係る美容装置は、請求項１から３のいずれか１項に記載の態様において、前記筐体の表面に設けられ、押し当てられた人体の部位に超音波振動を付与する振動板、を有することを特徴とする美容装置である。
【００１２】
本発明の請求項５に係る美容装置は、請求項４に記載の態様において、前記複数の電極のいずれかは、前記振動板を兼ねることを特徴とする美容装置である。
【００１３】
本発明の請求項６に係る美容装置は、請求項１から５のいずれか１項に記載の態様において、前記複数の電極に給電し、該電極の前記曲面が押し当てられた人体の部位に電気信号を出力する出力部を有し、前記出力部は、前記複数の電極のうち、使用者の操作に応じて選択された電極に給電することを特徴とする美容装置である。
【００１４】
本発明の請求項７に係る美容装置は、請求項１から５のいずれか１項に記載の態様において、前記複数の電極に給電し、該電極の前記曲面が押し当てられた人体の部位に電気信号を出力する出力部を有し、前記出力部は、給電の対象となる電極を周期的に切り替えることを特徴とする美容装置である。
【発明の効果】
【００１５】
本発明によれば、比較的広い部位、及び比較的小さな部位のいずれに対しても密着して刺激することができる。
【図面の簡単な説明】
【００１６】
【図１】本発明の一実施形態に係る美容装置１の外観を示す図。
【図２】図１と異なる角度から見た美容装置１の外観を示す図。
【図３】美容装置１の構成を示すブロック図。
【図４】美容装置１の筐体１０に設けられた電極１６１の配置を示す図。
【図５】図４の矢視Ｖ−Ｖから筐体１０を見た断面図。
【発明を実施するための形態】
【００１７】
＜実施形態＞
＜美容装置の外観＞
以下、図において物体が配置される空間をｘｙｚ右手系座標空間として表す。図に示す座標記号のうち、円の中に交差する２本の線分を描いた記号は、紙面手前側から奥側に向かう矢印を表している。空間においてｘ軸に沿う方向をｘ軸方向という。また、ｘ軸方向のうち、ｘ成分が増加する方向を＋ｘ方向といい、ｘ成分が減少する方向を−ｘ方向という。同様に、ｙ、ｚ成分についても、ｙ軸方向、＋ｙ方向、−ｙ方向、ｚ軸方向、＋ｚ方向、−ｚ方向を定義する。
【００１８】
図１は、本発明の一実施形態に係る美容装置１の外観を示す図である。図１に示す美容装置１は、筐体１０を有している。筐体１０は、ｘ軸方向に沿って伸びた棒状の筐体である。
【００１９】
ここで「棒状」とは、一端から他端に向けて伸びる形状であり、伸びる方向（長手方向）の長さが、長手方向に垂直な断面の幅や径の最大長さに比べて長いものをいう。「棒状」の長手方向の長さは、上述した幅や径の最大長さの少なくとも２倍以上であり、３倍以上であることが望ましい。上述した断面は、形状に制限がなく、長手方向の異なる位置で形状及び大きさが相違していてもよい。この「棒状」における長手方向は、直線に沿ったものを含むが、湾曲していてもよい。つまり、筐体１０は、まっすぐに伸びる棒状であってもよいし、長手方向に湾曲した棒状であってもよい。
【００２０】
筐体１０の＋ｚ方向の表面には操作部１４及び表示部１５が設けられている。また、筐体１０の＋ｘ方向の端部には、接続部１３が設けられている。
【００２１】
図２は、図１と異なる角度から見た美容装置１の外観を示す図である。図２に示す通り、美容装置１の筐体１０には、その−ｚ方向の表面に、電極１６１ａ、１６１ｂ、１６１ｃ、１６１ｄ（以下、これらを区別しない場合、単に「電極１６１」という）、及び振動板１７１が設けられている。図２に示す電極１６１は、４つであり、振動板１７１とともに筐体１０の長手方向に並んで配置されている。筐体１０を把持した使用者は、これらの電極１６１を自身の身体（人体）の部位に押し当てて、押し当てられたその部位のマッサージを行う。
【００２２】
＜美容装置の構成＞
図３は、美容装置１の構成を示すブロック図である。図３に示す通り、美容装置１は、制御部１１、記憶部１２、接続部１３、操作部１４、表示部１５、出力部１６、及び発振部１７を有する。
【００２３】
制御部１１は、ＣＰＵ（Central Processing Unit）、ＲＯＭ（Read Only Memory）、ＲＡＭ（Random Access Memory）を有し、ＣＰＵがＲＯＭや記憶部１２に記憶されているコンピュータプログラム（以下、単にプログラムという）を読み出して実行することにより美容装置１の各部を制御する。
【００２４】
接続部１３は、有線又は無線（例えば電磁結合）により電源２に接続して、この電源２から電力の供給を受ける。接続部１３は、電源２から供給された電力により充電される電池１３１を有する。充電された電池１３１は、バスを介して美容装置１の各構成に電力を供給する。
【００２５】
操作部１４は、各種の指示を入力するための操作ボタンを備えており、使用者による操作を受付けてその操作内容に応じた信号を制御部１１に供給する。図１に示す操作部１４は、ｘ軸方向に沿って並んだ２つのボタンである。
【００２６】
表示部１５は、液晶ディスプレイを有しており、制御部１１の制御の下、画像（文字を含む）を表示する。
【００２７】
記憶部１２は、ソリッドステートドライブ等の記憶手段であり、制御部１１のＣＰＵに読み込まれる各種のプログラムを記憶する。
【００２８】
出力部１６は、複数の電極１６１を有する。出力部１６は、電池１３１から複数の電極１６１にそれぞれ給電し、電極１６１のそれぞれが押し当てられた人体の部位に電気信号を出力する。
【００２９】
発振部１７は、振動板１７１を有する。発振部１７は、振動板１７１が押し当てられた人体の部位に超音波振動を付与する。
【００３０】
図４は、美容装置１の筐体１０に設けられた電極１６１の配置を示す図である。図４に示す通り、筐体１０には、グリップ１０１と、接触部１０２とが設けられている。
【００３１】
グリップ１０１は、筐体１０の＋ｘ方向の端部に近い領域に設けられ、使用者が把持する部位である。グリップ１０１は、例えば、一般的な使用者の手の大きさの平均値等に基づいて太さや形状が決められている。グリップ１０１には、滑り止めを含んでいてもよい。
【００３２】
接触部１０２は、筐体１０の表面のうち−ｚ方向の側にあり、４つの電極１６１と振動板１７１とが設けられている。接触部１０２は、グリップ１０１と重ならない部位に設けられている。
【００３３】
図４に示す４つの電極１６１と振動板１７１とは、筐体１０の長手方向（ｘ軸方向）に並んで配置されている。図４に示す通り、電極１６１ａと電極１６１ｂとは隣接しており、その距離はｘ１である。また、電極１６１ｃと電極１６１ｄとは隣接しており、その距離はｘ３である。一方、電極１６１ｂと電極１６１ｃとは、振動板１７１を隔てて離れており、その距離はｘ２である。これらの距離の大小関係は、ｘ２＞ｘ１であり、かつ、ｘ２＞ｘ３である。
【００３４】
したがって、例えば、電極１６１ａを正極とし、電極１６１ｂを負極としてこれらに電気信号を出力した場合、これらに触れる人体の部位はｘ１だけ離れている。そのため、ｘ１の長さの部位に電気刺激が与えられる。
【００３５】
一方、例えば、電極１６１ａを正極とし、電極１６１ｄを負極としてこれらに電気信号を出力すると、これらに触れる人体の部位は（ｘ１＋ｘ２＋ｘ３）だけ離れている。したがって、この場合、ｘ１よりも長い、（ｘ１＋ｘ２＋ｘ３）の長さの部位に電気刺激が与えられる。このように、美容装置１の制御部１１が複数の電極１６１のうちいずれかを正極及び負極として選択すると、選択された電極１６１の組合せに応じて、電流が流される人体の範囲が調整される。
【００３６】
＜美容装置の動作＞
図５は、図４の矢視Ｖ−Ｖから筐体１０を見た断面図である。なお、図５の断面図は概略を示したものに過ぎず、その縮尺、縦横比等を限定するものではない。電極１６１ａよりも−ｘ方向においてｘ軸に垂直な平面で筐体１０を切断すると、図５に示す通り、筐体１０の断面形状は角の丸い三角形である。
【００３７】
そして図５に示す通り、この三角形の頂点に相当する丸まった角（凸部ともいう）のうち、−ｚ方向の凸部に電極１６１ａが設けられている。この電極１６１ａの−ｚ方向の面は、筐体１０の表面に沿って湾曲した曲面１６１０ａである。つまり、電極１６１ａは、筐体１０の表面のうち−ｚ方向の凸部に設けられ、この凸部の形状に沿って湾曲した曲面１６１０ａを有する。
【００３８】
使用者は、図４に示すグリップ１０１を握って美容装置１を持ち、接触部１０２を図５（ａ）に示す矢印Ｄ２方向（−ｚ方向）にある自分の身体（人体）に押し当てる。この矢印Ｄ２方向は、使用者の身体の深部に向かう方向（深部方向）でもある。すなわち、曲面１６１０ａは電極１６１ａが押し当てられる方向に凸形状の曲面である。
【００３９】
なお、電極１６１ｂ、電極１６１ｃ、電極１６１ｄ、及び振動板１７１も、筐体１０の表面のうち−ｚ方向の凸部に設けられており、押し当てられる方向に曲面１６１０ａと同様の凸形状の曲面をそれぞれ有している。
【００４０】
そして、使用者は、接触部１０２を矢印Ｄ２方向に押し当てながら、例えば図１に示す矢印Ｄ１方向（＋ｙ方向）に沿ってこの美容装置１を動かす。
【００４１】
使用者の身体は、皮膚の下に柔らかい皮下組織があるため、電極１６１ａが矢印Ｄ２方向に押し当てられると、その押し当てる力の強さに応じて使用者の皮膚が電極１６１ａの曲面１６１０ａの形状に沿って変形する。そして、使用者の身体は、曲面１６１０ａを包み込むように曲面１６１０ａに接する。
【００４２】
例えば、使用者が矢印Ｄ２方向に所定の力で電極１６１を押し当てると、電極１６１のそれぞれの曲面（曲面１６１０ａを含む）は、図５（ａ）に示すＬ１の位置まで使用者の身体に埋没して接する。したがって、このとき、曲面１６１０ａのうち使用者の身体に接する部位は図５（ａ）に太線で示す部位である。
【００４３】
一方、使用者が矢印Ｄ２方向に、上述した力よりも強い力で電極１６１を押し当てると、電極１６１のそれぞれの曲面は、上述したＬ１を超えて図５（ｂ）に示すＬ２の位置まで使用者の身体に埋没して接する。このＬ２の位置は、Ｌ１の位置よりも相対的に＋ｚ方向にある。
【００４４】
すなわち、図５（ｂ）に示す電極１６１ａは、図５（ａ）に示す電極１６１ａに比べて、強い力で矢印Ｄ２方向（−ｚ方向）に押し当てられた結果、より深く使用者の身体に埋没する。したがって、このとき、曲面１６１０ａのうち使用者の身体に接する部位は図５（ｂ）に太線で示す部位である。この「図５（ｂ）に太線で示す部位」は、上述した「図５（ａ）に太線で示す部位」よりも大きい。
【００４５】
このように、美容装置１が、筐体１０の表面に設けられ、押し当てられる方向に凸形状の曲面をそれぞれ有する複数の電極１６１を有するので、電極１６１の曲面が使用者の身体に接触する範囲の大きさは、使用者の身体に電極１６１を押し当てる力の強さに応じて変わる。
【００４６】
したがって、本発明に係る美容装置１は、身体に接する電極１６１の部位が押し当てられる方向に凸形状の曲面であるため、押し当てる力を加減することで比較的広い部位に対しても、比較的小さな部位に対しても、それぞれ密着して刺激することができる。なお、この比較的広い部位とは、腹横筋、外腹斜筋、前鋸筋、大殿筋等の筋肉を有する腹部、大腿部等である。また、この比較的小さな部位とは、眼輪筋、頬筋等の筋肉を有する顔等である。
【００４７】
また、本発明に係る美容装置１において複数の電極１６１が、筐体１０の長手方向に並んで配置されているため、制御部１１は、複数の電極１６１のうち、いずれを正極及び負極として選択するかによって、身体に電流を流す範囲を調整することができる。
【００４８】
また、本発明に係る美容装置１は、複数の電極１６１及び振動板１７１が、筐体１０の表面に設けられ、押し当てられる方向に凸形状の曲面をそれぞれ有するので、この曲面を使用者の身体に押し当てながら、接触している皮膚に沿って滑らせることで、この曲面が接触している皮膚下の組織をマッサージしながら電気刺激や振動を与えることができる。
【００４９】
また、本発明に係る美容装置１は、棒状の筐体１０を有するので、使用者の手の届かない部位にも接触部１０２を接触させて、電極１６１及び振動板１７１から電気刺激や振動を与えることができる。
【００５０】
以上の実施形態で説明された構成、形状、大きさ及び配置関係については本発明が理解・実施できる程度に概略的に示したものにすぎない。したがって、本発明は、説明された実施形態に限定されるものではなく、特許請求の範囲に示される技術的思想の範囲を逸脱しない限り様々な形態に変更することができる。
【００５１】
＜変形例＞
以上が実施形態の説明であるが、この実施形態の内容は以下のように変形し得る。また、以下の変形例は組み合わされてもよい。
【００５２】
＜変形例１＞
上述した実施形態において、美容装置１に設けられた電極１６１の数は４つであったが、２つ以上であればよい。
【００５３】
特に電極１６１の数は３つ以上であるとよい。電極１６１の数が３つ以上であれば、正極及び負極に選択し得る組が複数存在するため、電気信号を出力する２つの電極１６１の距離を調整することが可能である。
【００５４】
＜変形例２＞
上述した実施形態において、４つの電極１６１と振動板１７１とは筐体１０の長手方向に並んで配置されていたが、配置はこれに限られない。例えば電極１６１は、筐体１０の周方向に並んで配置されていてもよい。
【００５５】
なお、「長手方向に並ぶ」とは、筐体１０の長手方向に沿って並ぶことのほか、筐体１０の長手方向の成分を含む方向に並ぶことも含む。すなわち、４つの電極１６１と振動板１７１とは筐体１０の長手方向に対して斜めに並んで配置されていてもよい。ただし、複数の電極１６１は、使用者が美容装置１を長手方向に垂直な方向に押し当てたときに、同時に身体に接触するように、周方向の位置が重なっていることが望ましい。
【００５６】
また、実施形態において筐体１０の長手方向に並んで配置された複数の電極１６１は、そのそれぞれの長手方向が平行になるように配置されていたが、平行にならないように配置されていてもよい。電極１６１の形状及びサイズは、上述した実施形態に示したものに限られず、それぞれが異なっていてもよい。
【００５７】
＜変形例３＞
上述した実施形態において、美容装置１は、押し当てられた人体の部位に超音波振動を付与する振動板１７１を有していたが、振動板１７１を有しなくてもよい。
【００５８】
また、電極１６１や振動板１７１は、突起を含む形状であってもよい。突起は、例えば
、半球体であり、身体に接触してその身体を刺激するものであるとよい。また、電極１６１や振動板１７１は、３００ｋＨｚから５ＭＨｚ、望ましくは５００ｋＨｚから１．５ＭＨｚの高周波の電磁波を出力してもよい。
【００５９】
＜変形例４＞
上述した実施形態において、電極１６１と振動板１７１とはそれぞれ別の機能を有していたが、一方が他方の機能を兼ねてもよい。例えば、複数の電極１６１のいずれかは、振動板１７１を兼ねてもよい。この場合、振動板１７１は、押し当てられた使用者の身体（人体）の部位に、発振部１７が発する超音波振動を付与するとともに、出力部１６により給電される。そして、出力部１６は、振動板１７１が押し当てられた人体の部位にも電気信号を付与する。
【００６０】
＜変形例５＞
上述した実施形態において、美容装置１の制御部１１が複数の電極１６１のうちいずれかを正極及び負極として選択すると、選択された電極１６１の組合せに応じて、電流が流される人体の範囲が調整されていたが、制御部１１は、操作部１４の操作に応じて、電極１６１を選択してもよい。この場合、出力部１６は、複数の電極１６１のうち、使用者の操作に応じて選択された電極１６１に給電する。そして出力部１６は、選択された電極１６１の曲面が押し当てられた人体の部位に電気信号を出力する。
【００６１】
＜変形例６＞
また、出力部１６は、給電の対象となる電極１６１を周期的に切り替えてもよい。これにより全ての電極１６１が人体に接触していなくても、切り替えの順番が回ってくることにより、接触した１対の電極１６１に電気信号を流すことができる。なお、この切り替えの機能は、出力部１６に備わっていてもよいし、出力部１６を制御する制御部１１に備わっていてもよい。
【００６２】
＜変形例７＞
上述した実施形態において、グリップ１０１は、筐体１０の＋ｘ方向の端部に近い１か所の領域に設けられていたが、この他の領域に設けられていてもよい。例えば、グリップ１０１は、筐体１０のｘ軸方向の両端に近い領域にそれぞれ設けられていてもよい。この場合、接触部１０２は、この両端に近い領域に設けられた２つのグリップ１０１の間に設けられていてもよい。
【００６３】
＜変形例８＞
美容装置１の制御部１１によって実行されるプログラムは、磁気テープや磁気ディスクなどの磁気記録媒体、光ディスクなどの光記録媒体、光磁気記録媒体、半導体メモリなどの、コンピュータ装置が読み取り可能な記録媒体に記憶された状態で提供し得る。また、このプログラムを、インターネット等の通信回線経由でダウンロードさせることも可能である。なお、上記の制御部１１によって例示した制御手段としてはＣＰＵ以外にも種々の装置が適用される場合があり、例えば、専用のプロセッサ等が用いられる。
【符号の説明】
【００６４】
１…美容装置、１０…筐体、１０１…グリップ、１０２…接触部、１１…制御部、１２…記憶部、１３…接続部、１３１…電池、１４…操作部、１５…表示部、１６…出力部、１６１、１６１ａ、１６１ｂ、１６１ｃ、１６１ｄ…電極、１６１０ａ…曲面、１７…発振部、１７１…振動板、２…電源。
【図１】
2020110262.tif 000003
【図２】
2020110262.tif 000004
【図３】
2020110262.tif 000005
【図４】
2020110262.tif 000006
【図５】
2020110262.tif 000007